(57)【要約】【課題】  こたつ櫓上に設置されたテーブル板を取り外すことなく、こたつ櫓に容易かつ自在に着脱できる掛け布を提供する。【解決手段】  こたつ櫓を覆う本布（１）に、こたつ櫓上に置くテーブル板と同じかそれより大きい開口部（２）を設け、この開口部と同じかそれより大きい別布（３）を、結合部材（４ａ，４ｂ，５ａ，５ｂ）により開口部（２）に容易かつ自在に嵌め込むことができる掛け布を形成する。【選択図】  図１
0003112410.tif 000002
【実用新案登録請求の範囲】
【請求項１】
こたつ櫓を覆う掛け布において、該こたつ櫓上に置くテーブル板と同じかそれより大きい開口部を有する本布と、該開口部の面積以上の大きさを有する別布を該開口部の周辺に着脱自在に嵌め合わせる結合部材とを備えて構成されることを特徴とするこたつ用掛け布。
【請求項２】
こたつ櫓を覆う掛け布において、該こたつ櫓上に置くテーブル板と同じ大きさの開口部を有する本布と、該本布の開口部の周辺を前記テーブル板に着脱自在に結合する結合部材とを備えて構成されることを特徴とするこたつ用掛け布。
【請求項３】
請求項２記載の掛け布において、前記本布は、前記開口部の周縁上の一点から該本布の外縁上の一点まで延びる切離し部と、該切離し部を開閉可能に結合する別の結合部材とを備えていることを特徴とするこたつ用掛け布。
【請求項４】
請求項１乃至３のいずれか記載の掛け布において、前記結合部材は、オープンファスナー、面ファスナー、スナップ又はホック、ボタン、フックの何れか或いはこれらの組み合わせであることを特徴とするこたつ用掛け布。
【考案の詳細な説明】
【技術分野】
【０００１】
本考案は、こたつに掛ける布団或いはカバー等のこたつ用掛け布（織物、編物その他任意の繊維で作られたものを含む）に関する。
【背景技術】
【０００２】
こたつ櫓を覆う掛け布は、寒冷期においてこたつ櫓内の暖気が拡散しないようにこたつ櫓の上を覆うものであり、その上にテーブル板を置くのが一般的である。従って、こたつの使用を始める時或いは使用を終えて片付ける時には、テーブル板を置かない状態で、掛け布をこたつ櫓に掛けたりこたつ櫓から取り除いたりする必要がある。
【０００３】
最近では、テーブル兼用のこたつの普及により、寒冷期におけるこたつ使用時以外においても、年間を通して、こたつ櫓とテーブル板の両方を合わせてテーブルとして利用する家庭が増えている。そのため、寒冷期以外の使用期間においては、こたつ櫓を覆う掛け布を取り除く必要があり、その都度、掛け布の上にあるテーブル板を一々取り外さなければならない。しかしながら、一般に、こたつの上に置くテーブル板は相当程度の重量があるため持ち上げ難く、また、こたつ櫓を覆う掛け布自体も、通常一枚の連続した布地であるため、嵩張り着脱に不便を感じるものである。
【０００４】
このようなこたつ掛け布は、表面に汚れが多く付着しがちであるが、掛け布の面積が大きいので、簡単に洗濯できず、また、こたつ掛け布団の表面の柄は、綿層を覆う生地を変更しない限り変更できないという不都合がある。この不都合を解消するものとして、下記特許文献１に示されるように、平板状の布団片を複数枚、結合部材により着脱自在に結合して、こたつ櫓の周囲を囲むように構成したこたつ掛け布団が提案されている。
【０００５】
【特許文献１】特開平１０−４７６９４号公報
【考案の開示】
【考案が解決しようとする課題】
【０００６】
しかしながら、上記特許文献記載のこたつ掛け布団でも、布団を使用しないときや交換するときには、従来どおり敷き板すなわちテーブル板を取り外さなければならない場合があり、テーブル板の取り外しという不便を除去し得るものではない。
【０００７】
我が国が急速に高齢化・核家族化している現在、季節毎に繰り返されるテーブル板の取り外しを伴うこたつ櫓上を覆う掛け布の着脱は煩雑であり、特に高齢者世帯、さらには身体の不自由な人の世帯にとっては、重い負担となっている。
【０００８】
本考案の目的は、こたつ櫓上に設置されたテーブル板を取り外すことなく、こたつ櫓に容易かつ自在に着脱できる掛け布を提供することである。
【課題を解決するための手段】
【０００９】
第１の考案は、こたつ櫓を覆う掛け布にテーブル板と同じかそれより大きい開口部を設け、該開口部と同じかそれより大きい別布を、結合部材により該開口部の周辺に着脱自在に取り付けるようにしたものである。
【００１０】
第２の考案は、こたつ櫓を覆う掛け布にテーブル板と同じ大きさの開口部を設け、結合部材により該開口部の周辺をテーブル板に着脱自在に取り付けるようにしたものである。
【００１１】
この場合、掛け布の開口部の周縁上の一点から外縁上の一点まで延びる切離し部を設け、該切離し部を別の結合部材で開閉可能に結合することが好ましい。
【００１２】
上記いずれの考案でも、こたつ櫓を覆う掛け布の形状は、正方形のほか、長方形や丸型その他任意の形でよい。また、結合部材は、オープンファスナー、面ファスナー、スナップまたはホック、ボタン、フックの何れか、又はこれらの組み合わせのいずれでもよい。
【考案の効果】
【００１３】
第１の考案によれば、こたつ櫓の上に掛け布を掛けるときは、２つの方法がある。第１の方法は、本布の開口部の周辺に結合部材を介して別布を取り付けることで、従来のこたつ布団と同様に一枚の布地となった掛け布をこたつ櫓の上に掛け、その上にテーブルを置くことである。第２の方法は、先にこたつ櫓上に別布を置き、その上にテーブル板を載せた状態で、テーブル板の位置に合わせて本布を降ろせば、開口部がテーブル板の周囲を通ることで本布がテーブル板の下側に位置するので、その開口部の周辺を結合部材により別布と結合することである。いずれにしても、こたつ櫓上を掛け布が覆い、その上にテーブル板が置かれた状態となる。
【００１４】
その後、こたつ櫓上から掛け布を取り除くときは、初めに本布と別布との結合を解く、すなわち本布の開口部の周辺を別布から外す。次に本布を持ち上げれば、その開口部がテーブル板から抜けるので、本布を取り除くことができる。その後再びこたつ櫓の上に掛け布を掛けるときは、こたつ櫓の上に別布とテーブル板が載っているので、上記第２の方法で本布を別布に結合すれば、こたつ櫓を掛け布で覆うことができる。
【００１５】
第２の考案によれば、こたつ櫓の上に掛け布を掛けるときは、こたつ櫓上にテーブル板を載せた状態で、テーブル板の上に本布の開口部を位置させて本布を降ろせば、開口部がテーブル板の周囲を通ることで本布がテーブル板の下側に位置するので、その開口部の周辺を結合部材によりテーブル板と結合することができる。また、こたつ櫓上から掛け布を取り除くときは、本布をテーブル板から外して本布を持ち上げれば、その開口部がテーブル板から抜けるので、本布を取り除くことができる。
【００１６】
上記各考案によれば、こたつ櫓上からテーブル板を取り外すことなく、こたつ櫓上を覆う掛け布を容易に着脱することができるので、重量のあるテーブル板や従来の天板部と横垂れ部が不可分で嵩張るこたつ掛け布の取り外しに難渋する人の負担が軽減される。
【００１７】
また、本考案の掛け布は、一枚の布地をくり抜いて全体がこたつ櫓を覆う横垂れ部分となるように構成されるので、横垂れ部分は一連の一体的な布面となり、複数枚の布を結合ないしは縫合させて横垂れ部分とする方法に比べて、製造や取扱いが容易である。
【００１８】
更に、こたつ櫓上に置くテーブル板と同じかこれより大きい開口部を有する布と、該開口部に嵌め込む別布又はテーブル板とを、ファスナー等の結合部材で結合させるので、その作業は、指先の巧緻性に左右されることが少なく、誰でも容易に布と別布の着脱が行える。
【考案を実施するための最良の形態】
【００１９】
図１は、本考案の第１の実施形態の掛け布を構成する本布１の表面と、これに結合する別布３の裏面を示す。
【００２０】
本布１は、１枚の連続した矩形状の布地から成り、その中央部には、図７及び図９に例示するテーブル板８の面積と同じかそれより大きい矩形状の開口部２を設けてある。別布３は、本布１の開口部２より少し大きい布地から成る。本布１の表面で開口部２の周囲、及び別布３の裏面でその周縁の内側には、結合部材の一例のオープンファスナー４ａ及び４ｂが矩形状に取り付けられている。本布１と別布３は、本布１の表面に設けたファスナー４ａと別布３の裏面に設けたファスナー４ｂとを互いに結合したり離脱させたりすることにより、着脱自在である。なお、開口部２の形状が正方形でなく、長方形の場合は、本布１と別布３における長辺上のファスナー４ａと４ｂ、短辺上のファスナー４ａと４ｂを、それぞれ結合、離脱させればよい。
【００２１】
結合部材としては、上記のようにファスナーが使用されるが、図１の例のように、上記ファスナーの他にスナップ又はホックを組み合わせて取り付けることも可能である。詳しくは、本布１の表面上の四本のファスナー４ａ間の隙間部分にスナップ又はホック５ａを配置する一方、別布３の裏面上の四本のファスナー４ｂ間の隙間部分にも、スナップ又はホック５ｂを配置している。これらスナップ又はホック５ａと５ｂを嵌め合わせることにより、本布１と別布３の結合部分の隙間を少なくすることができる。
【００２２】
図２は、第２の実施形態の掛け布を構成する本布１の表面と、これに結合する別布３の裏面を示す。この掛け布は、第１の実施形態において、本布１と別布３の結合部材として、オープンファスナー４ａ，４ｂの代わりに、スナップ又はホック５ａ，５ｂを複数個所取り付けて、本布１と別布３を着脱自在にしたものである。更に、スナップ又はホックに代えて、ボタンやフックを結合部材として用いることも可能である。
【００２３】
図３は、第３の実施形態を示す。この掛け布は、本布１の開口部２が正方形又は長方形といった四角形の場合において、結合部材として面ファスナーを用いたものであり、本布１の表面の開口部周辺に取り付けた面ファスナー６ａと、別布３の裏面の周縁部に取り付けた面ファスナー６ｂとを互いに合わせ重ねることで、本布１と別布３を結合することができる。更に、この実施形態では、本布１の表面及び別布３の裏面において、図示のように各面ファスナー６ａ，６ｂの両端をそれぞれ互い違いに隙間なく配置することにより、結合部分に隙間が生じないように構成することができる。
【００２４】
図４は、第４の実施形態を示す。この掛け布は、第１の実施形態において、別布３を本布１の開口部２と同じ大きさにして、別布３の裏面上でその周縁の外側に、結合部材としてのオープンファスナー４ｂを取り付け、更に別布３の周囲に、補足布７を付加したものである。この形態では、本布１から開口部２をくり抜いた布を、別布３として利用できるため、布の無駄を省くことができ経済的である上、補足布７により、別布３の周縁部の外側に取り付けたファスナー４ｂを隠すことができるため、美観を保つことも可能となる。
【００２５】
図５は、第５の実施形態を示す。この掛け布は、第１又は第４の実施形態において、本布１に取り付ける結合部材としてのオープンファスナー４ａを、本布１の表面でなく、裏面側で開口部２の周囲に取り付けたものである。これにより、本布１の表面側からファスナーの台布部分が見えなくなるので、表面の美感を保つができると共に、掛け布を収納するとき等に、ファスナー金具のムシ部分が人の指や他の物に引っ掛かるのを防ぐことができる。
【００２６】
以上の実施形態によれば、掛け布をこたつ櫓の上に掛けるときは、前述のように２つの方法がある。すなわち、本布１の開口部２の周辺に結合部材を介して別布３を取り付けることで１枚の布地とした上でこたつ櫓の上に掛けてテーブル板８を載せるか、或いは、予めこたつ櫓上に別布３を置き、その上にテーブル板８を載せた状態で、テーブル板８の上から本布１の開口部２を通すようにして本布１をテーブル板８の下側まで降ろし、本布１の開口部２の周辺を結合部材により別布３と結合する。いずれにしても、こたつ櫓上を掛け布が覆い、その上にテーブル板８が置かれた状態となる。このとき、本布１はこたつ櫓を覆う横垂れ部分となる。
【００２７】
この掛け布をこたつ櫓上から取り除くときは、本布１の開口部２の周辺を別布３から外した上で本布１を持ち上げればよい。その後、再び掛け布を掛けるときは、こたつ櫓の上に別布３とテーブル板８が載っているので、本布１をテーブル板８の上からテーブル板８の下側まで降ろして別布３と結合すれば、容易にこたつ櫓を掛け布で覆った状態となる。
【００２８】
上記の各実施形態では、本布１の開口部２にファスナー等の結合部材を用いて別布３を嵌め合わせるようにしたので、こたつ櫓上に置くテーブル板を取り外すことなく、こたつ櫓上を覆う掛け布の横垂れ部分を形成する本布１の着脱を容易且つ自在に行うことができる。
【００２９】
次に、図６は第６の実施形態の掛け布を構成する本布１の表面を示し、図７はこの掛け布の使用状態を示す。この掛け布は、本布１の中央部にこたつ櫓上に置くテーブル板８と同じ大きさの開口部９を設け、この開口部９の周辺に結合部材として面ファスナー６ａを取り付けたものであり、この面ファスナー６ａと重ね合わせる面ファスナー６ｂは、テーブル板８の裏面の周縁部に配置してある。これにより、前述の別布３は不要である。
【００３０】
なお、面ファスナー６ａ，６ｂは、図３の実施形態のように、各々の両端をそれぞれ互い違いに隙間なく配置することが好ましい。
【００３１】
この掛け布をこたつ櫓の上に掛けるときは、こたつ櫓上に載せたテーブル板８の上に本布１の開口部９を位置させて本布１を降ろせば、開口部９がテーブル板８の周囲を通ることで本布１がテーブル板８の下側に位置するので、本布１の表面上の開口部周辺にある面ファスナー６ａを、テーブル板８の裏面の面ファスナー６ｂに合わせることで、本布１をテーブル板８に結合することができる。このとき、本布１の全体がこたつ櫓を覆う横垂れ部分となる。
【００３２】
この掛け布をこたつ櫓上から取り除くときは、本布１の面ファスナー６ａをテーブル板８の面ファスナー６ｂから外して本布１を持ち上げれば、その開口部がテーブル板から抜けるので、本布１を取り除くことができる。
【００３３】
図８は第７の実施形態の掛け布を示し、図７はこの掛け布の使用状態を示す。この掛け布は、上記第６の実施形態において、本布１の開口部９の周縁上の一点から本布１の外縁上の一点までほぼ直線状に切離し部１０を設け、この切離し部１０の裏面側で向かい合う直線状の端縁に沿って結合部材として一対のオープンファスナー４ａ，４ｂを取り付け、切離し部１０を開閉可能に構成したものである。この実施形態によれば、本布１をテーブル板８へ取り付けたり取り外したりするとき、オープンファスナー４ａ，４ｂの結合を解いて切離し部１０を開くことにより、着脱作業が容易になる。
【００３４】
なお、切離し部１０の結合部材としては、オープンファスナーのほか、面ファスナー、スナップ又はホック、ボタン、或いはフックを用いることも可能である。
【図面の簡単な説明】
【００３５】
【図１】第１の実施形態を構成する本布と別布を示す図。
【図２】第２の実施形態を構成する本布と別布を示す図。
【図３】第３の実施形態を構成する本布と別布を示す図。
【図４】第４の実施形態を構成する本布と別布を示す図。
【図５】第５の実施形態を構成する本布と別布を示す図。
【図６】第６の実施形態を構成する本布を示す図。
【図７】第６の実施形態の使用状態を示す図。
【図８】第７の実施形態を構成する本布を示す図。
【図９】第７の実施形態の使用状態を示す図。
【符号の説明】
【００３６】
１…本布、２…開口部、３…別布、４ａ，４ｂ…オープンファスナー、５ａ，５ｂ…スナップ又はホック、６ａ，６ｂ…面ファスナー、７…補足布、８…テーブル板、９…開口部、１０…切離し部。
【図１】
0003112410.tif 000003
【図２】
0003112410.tif 000004
【図３】
0003112410.tif 000005
【図４】
0003112410.tif 000006
【図５】
0003112410.tif 000007
【図６】
0003112410.tif 000008
【図７】
0003112410.tif 000009
【図８】
0003112410.tif 000010
【図９】
0003112410.tif 000011